(57)【要約】【課題】  効率良く調芯を行うことが可能な調芯方法を実現する。【解決手段】  ２つの光ファイバが固定される出射端からの２つの光ビームをレンズでフォトダイオードユニットの２つの受光面それぞれ照射させる調芯方法であって、それぞれの偏波面が互いに９０度になるように２つの偏波面保持の光ファイバを出射端に固定し、出射端とレンズとの間の距離と、レンズとフォトダイオードユニットとの間の距離とをそれぞれ変化させ、光ビームの間隔がフォトダイオードユニットの受光面の間隔なるように調整し、出射端とレンズの間に挿入された偏光板を回転させ片方ずつ光ビームを通過させてフォトダイオードユニットへの入射位置の座標を測定し、２つの光ビームの測定座標から求めた補正角度だけフォトダイオードユニットを座標平面で回転させる。【選択図】                    図１
2008003282.tif 000002
【特許請求の範囲】
【請求項１】
２つの光ファイバが固定される出射端からの２つの光ビームをレンズでフォトダイオードユニットの２つの受光面それぞれ照射させる調芯方法であって、
それぞれの偏波面が互いに９０度になるように２つの偏波面保持の光ファイバを前記出射端に固定し、
前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、
前記出射端と前記レンズの間に挿入された偏光板を回転させ片方ずつ光ビームを通過させて前記フォトダイオードユニットへの入射位置の座標を測定し、
２つの光ビームの測定座標から求めた補正角度だけ前記フォトダイオードユニットを座標平面で回転させる
ことを特徴とする調芯方法。
【請求項２】
２つの光ファイバが固定される出射端からの２つの光ビームをレンズでフォトダイオードユニットの２つの受光面それぞれ照射させる調芯方法であって、
前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、
前記出射端と前記レンズの間にエタロンを挿入し、
このエタロンの自由スペクトル領域の１／２だけ波長の異なる光を前記２つの光ファイバに伝播させ、
前記エタロンの角度、温度、若しくは、屈折率を変化させて透過可能な光の波長を選択して片方ずつ光ビームを通過させてフォトダイオードユニットへの入射位置の座標を測定し、
２つの光ビームの測定座標から求めた補正角度だけ前記フォトダイオードユニットを座標平面で回転させる
ことを特徴とする調芯方法。
【請求項３】
２つの光ファイバが固定される出射端からの２つの光ビームをレンズでフォトダイオードユニットの２つの受光面それぞれ照射させる調芯方法であって、
前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、
前記２つの光ファイバを伝播する光に異なる変調周波数で光変調をかけ、
前記フォトダイオードユニットで検出する際に受光した光の光変調周波数に基づき２つの光ファイバのどちらの光ビームであるかを判断し、
前記２つの光ビームのフォトダイオードユニットへの入射位置の座標を測定し、
２つの光ビームの測定座標から求めた補正角度だけ前記フォトダイオードユニットを座標平面で回転させる
ことを特徴とする調芯方法。
【請求項４】
２つの光ビームのフォトダイオードユニットへの入射位置のＸＹＺ座標を測定し、
２つの光ビームの測定座標から第１及び第２の補正角度を求め、
前記第１の補正角度だけ前記フォトダイオードユニットをＸＹ座標平面で回転させ、前記第２の補正角度だけ前記フォトダイオードユニットをＸＺ座標平面で回転させる
ことを特徴とする
請求項１乃至請求項３のいずれかに記載の調芯方法。
【発明の詳細な説明】
【技術分野】
【０００１】
本発明は、２つの光ファイバ（２芯のフェルールファイバ）からの出射光を２つのフォトダイオードにそれぞれ照射させる調芯方法に関し、特に効率良く調芯を行うことが可能な調芯方法に関する。
【背景技術】
【０００２】
従来の２つの光ファイバ（フェルールファイバ）からの出射光を２つのフォトダイオードに照射させる等の調芯方法に関連する先行技術文献としては次のようなものがある。
【０００３】
【特許文献１】特開２００１−１５４１４７号公報
【特許文献２】特開２００２−２０２４４０号公報
【特許文献３】特開２００３−１２４５５９号公報
【０００４】
図９及び図１０はこのような従来の調芯方法の一例を示す平面図及び斜視図である。図９及び図１０において１及び２は光ファイバ、３は出射端（フェルール）、４はレンズ、５は”ＰＤ０１”及び”ＰＤ０２”に示す２つの受光面を有するフォトダイオードユニットである。また、１，２及び３は２芯のフェルールファイバを構成している。
【０００５】
光ファイバ１を伝播した光は出射端３から出射され、図９及び図１０中”ＢＭ０１”に示す光ビームのようにレンズ４を透過してフォトダイオードユニット５の図９及び図１０中”ＰＤ０１”に示す一方の受光面に入射される。
【０００６】
同様に、光ファイバ２を伝播した光は出射端３から出射され、図９及び図１０中”ＢＭ０２”に示す光ビームようにレンズ４を透過してフォトダイオードユニット５の図９及び図１０中”ＰＤ０２”に示す他方の受光面に入射される。
【０００７】
ここで、図９及び図１０に示す従来例の調芯方法を説明する。図１０中”ｌ”に示す出射端３とレンズ４との間の距離を変化させると、図１０中”ＢＭ０１”及び”ＢＭ０２”に示す光ビームがレンズ４で集光されて光ビーム径が絞られるまでの距離が変化する。
【０００８】
一方、図１０中”Ｌ”に示すレンズ４とフォトダイオードユニット５との間の距離を変化させると、フォトダイオードユニット５の受光面における図１０中”ＢＭ０１”及び”ＢＭ０２”に示す光ビーム間の距離が変化する。
【０００９】
このため、図１０中”Ｌ”に示す距離を変化させて、フォトダイオードユニット５の受光面における図１０中”ＢＭ０１”及び”ＢＭ０２”に示す光ビーム間の距離が図１０中”ＰＤ０１”及び”ＰＤ０２”に示す受光面間の距離と一致（厳密には、光ビームの中心点間距離が受光面の中心点間距離に一致）するように調整する。
【００１０】
同時に、図１０中”ｌ”に示す距離を変化させて、光ビーム径が絞られるまでの距離がフォトダイオードユニット５の受光面に一致するように調整することにより、図１０中”ＰＤ０１”及び”ＰＤ０２”に示すフォトダイオードユニット５の受光面に図１０中”ＢＭ０１”及び”ＢＭ０２”に示す光ビームを光ビーム径を絞って照射することが可能になる。
【００１１】
この結果、出射端３とレンズ４との間の距離とレンズ４とフォトダイオードユニット５との間の距離とを適宜変化させ、光ビーム径が絞られるまでの距離がフォトダイオードユニット５の受光面に一致し、光ビームの中心点間距離が受光面の中心点間距離に一致するように調整することにより、フォトダイオードユニット５の受光面に光ビームを光ビーム径を絞って照射することが可能になる。言い換えれば、調芯が完了することになる。
【発明の開示】
【発明が解決しようとする課題】
【００１２】
しかし、図９及び図１０に示す従来例では図１０中”ＰＤ０１”及び”ＰＤ０２”に示す２つの受光面の中心点を通る軸と、２本の光ビームの中心点を通る軸とは一致していない場合が多い。
【００１３】
このような状態で調芯を行った場合、フォトダイオードユニット５の一方の受光面に一方の光ビームが照射することになるが、前述の軸の不一致に起因して光ビームを誤って違う受光面に照射させてしまう場合が発生する。
【００１４】
例えば、図１０中”ＢＭ０１”に示す光ビームは本来図１０中”ＰＤ０１”に示す受光面に照射すべきであるが、図１０中”ＰＤ０２”に示す受光面に照射させてしまう場合が想定される。
【００１５】
この場合には、調芯作業が非常に煩雑になり、調芯作業の時間が非常に長くなってしまうと言った問題点があった。
【００１６】
すなわち、実際の調芯作業においては、図１０に示す斜視図のように光ファイバ１から出射される光ビーム”ＢＭ０１”と、光ファイバ２から出射される光ビーム”ＢＭ０２”を明確に区別することができないので、間違った調芯を行ってしまう可能性を排除することが困難であると言った問題点があった。
従って本発明が解決しようとする課題は、効率良く調芯を行うことが可能な調芯方法を実現することにある。
【課題を解決するための手段】
【００１７】
このような課題を達成するために、本発明のうち請求項１記載の発明は、
２つの光ファイバが固定される出射端からの２つの光ビームをレンズでフォトダイオードユニットの２つの受光面それぞれ照射させる調芯方法であって、
それぞれの偏波面が互いに９０度になるように２つの偏波面保持の光ファイバを前記出射端に固定し、前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、前記出射端と前記レンズの間に挿入された偏光板を回転させ片方ずつ光ビームを通過させて前記フォトダイオードユニットへの入射位置の座標を測定し、２つの光ビームの測定座標から求めた補正角度だけ前記フォトダイオードユニットを座標平面で回転させることにより、効率良く調芯を行うことが可能になる。
【００１８】
請求項２記載の発明は、
２つの光ファイバが固定される出射端からの２つの光ビームをレンズでフォトダイオードユニットの２つの受光面それぞれ照射させる調芯方法であって、
前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、前記出射端と前記レンズの間にエタロンを挿入し、このエタロンの自由スペクトル領域の１／２だけ波長の異なる光を前記２つの光ファイバに伝播させ、前記エタロンの角度、温度、若しくは、屈折率を変化させて透過可能な光の波長を選択して片方ずつ光ビームを通過させてフォトダイオードユニットへの入射位置の座標を測定し、２つの光ビームの測定座標から求めた補正角度だけ前記フォトダイオードユニットを座標平面で回転させることにより、効率良く調芯を行うことが可能になる。
【００１９】
請求項３記載の発明は、
２つの光ファイバが固定される出射端からの２つの光ビームをレンズでフォトダイオードユニットの２つの受光面それぞれ照射させる調芯方法であって、
前記出射端と前記レンズとの間の距離と、前記レンズと前記フォトダイオードユニットとの間の距離とをそれぞれ変化させ、前記光ビームの間隔が前記フォトダイオードユニットの受光面の間隔なるように調整し、前記２つの光ファイバを伝播する光に異なる変調周波数で光変調をかけ、前記フォトダイオードユニットで検出する際に受光した光の光変調周波数に基づき２つの光ファイバのどちらの光ビームであるかを判断し、前記２つの光ビームのフォトダイオードユニットへの入射位置の座標を測定し、２つの光ビームの測定座標から求めた補正角度だけ前記フォトダイオードユニットを座標平面で回転させることにより、効率良く調芯を行うことが可能になる。
【００２０】
請求項４記載の発明は、
請求項１乃至請求項３のいずれかに記載の発明である調芯方法であって、
２つの光ビームのフォトダイオードユニットへの入射位置のＸＹＺ座標を測定し、２つの光ビームの測定座標から第１及び第２の補正角度を求め、前記第１の補正角度だけ前記フォトダイオードユニットをＸＹ座標平面で回転させ、前記第２の補正角度だけ前記フォトダイオードユニットをＸＺ座標平面で回転させることにより、効率良く調芯を行うことが可能になる。
【発明の効果】
【００２１】
本発明によれば次のような効果がある。
請求項１及び請求項４の発明によれば、出射端でそれぞれの偏波面が互いに９０度になるように偏波面保持の光ファイバ及びを出射端８に固定し、光ビームの間隔がフォトダイオードユニットの受光面の間隔になるように調整し、偏光板を回転させ片方ずつ光ビームを通過させてフォトダイオードユニットへの入射位置のＸＹ座標を測定して求めた補正角度だけフォトダイオードユニットをＸＹ座標平面で回転させることにより、効率良く調芯を行うことが可能になる。
【００２２】
請求項２及び請求項４の発明によれば、２つの光ファイバとしては偏波面保持の光ファイバではなく通常のシングルモード光ファイバ（Single Mode Fiber）を用い、それぞれの光ファイバにエタロンのＦＳＲ（自由スペクトル領域）の１／２だけ波長の異なる光を伝播させ、エタロンの角度、温度、若しくは、屈折率を変化させて透過可能な光の波長を選択して２つの光ファイバのどちらか一方のみをフォトダイオードユニットに照射させ、片方ずつ光ビームを通過させてフォトダイオードユニットへの入射位置のＸＹ座標を測定して求めた補正角度だけフォトダイオードユニットをＸＹ座標平面で回転させることにより、効率良く調芯を行うことが可能になる。
【００２３】
請求項３及び請求項４の発明によれば、２つの光ファイバを伝播する光に異なる変調周波数で光変調をかけ、フォトダイオードユニットで検出する際に受光した光の光変調周波数に基づき２つの光ファイバのどちらの光ビームであるかを判断し、２つの光ビームのフォトダイオードユニットへの入射位置の座標を測定して求めた補正角度だけフォトダイオードユニットを座標平面で回転させることにより、効率良く調芯を行うことが可能になる。
【発明を実施するための最良の形態】
【００２４】
以下本発明を図面を用いて詳細に説明する。図１及び図３は本発明に係る調芯方法の一実施例を示す平面図、図２及び図４は本発明に係る調芯方法の一実施例を示す斜視図である。
【００２５】
図１乃至図４において６及び７は偏波面保持の光ファイバ、８は出射端（フェルール）、９は偏光板、１０はレンズ、１１は”ＰＤ１１”及び”ＰＤ１２”に示す２つの受光面を有するフォトダイオードユニットである。また、６，７及び８は２芯のフェルールファイバを構成している。
【００２６】
光ファイバ６を伝播した光は出射端８から出射され、図１及び図２中”ＢＭ１１”に示す光ビームのように偏光板９及びレンズ１０を透過してフォトダイオードユニット１１の図１及び図２中”ＰＤ１１”に示す一方の受光面に入射される。
【００２７】
同様に、光ファイバ７を伝播した光は出射端８から出射され、図３及び図４中”ＢＭ１２”に示す光ビームように偏光板９及びレンズ１０を透過してフォトダイオードユニット１１の図３及び図４中”ＰＤ１２”に示す他方の受光面に入射される。
【００２８】
ここで、図１乃至図４に示す実施例の動作を図５を用いて説明する。図５はフォトダイオードユニット１１の各受光面と照射される２つの光ビームとの関係を示す説明図である。
【００２９】
先ず、第１に、光ファイバ６及び７は偏波面保持の光ファイバであり、出射端８でそれぞれの偏波面が互いに”９０度”になるように光ファイバ６及び７が出射端８に固定される。
【００３０】
また、第２に、出射端８とレンズ１０との間の距離と、レンズ１０とフォトダイオードユニット１１との間の距離とを適宜変化させ、光ビームの間隔（厳密には、２つの光ビームの中心点の間隔）がフォトダイオードユニット１１の受光面の間隔（厳密には、２つの受光面の中心点の間隔）になるように調整する。
【００３１】
さらに、フォトダイオードユニット１１の受光面が形成されている面を”ＸＹ座標平面”と定義する。
【００３２】
このような状態で、図示しない駆動手段によって偏光板９を回転させ、どちらか一方の光ビームのみを通過させ、レンズ１０を介してフォトダイオードユニット１１の受光面に照射させる。
【００３３】
例えば、偏光板９を回転させ図１及び図２中”ＢＭ１２”に示す光ビームを遮断し、図１及び図２中”ＢＭ１１”に示すように光ファイバ６を伝播する光のみを透過させる。
【００３４】
そして、図１及び図２中”ＢＭ１１”に示す光ビームをレンズ１０を介してフォトダイオードユニット１１の図１及び図２中”ＰＤ１１”に示す受光面に入射させると共に、フォトダイオードユニット１１の位置から入射面における光ビームのＸＹ座標を測定する。
【００３５】
ＸＹ座標の測定方法としては、図１及び図２中”ＢＭ１１”に示す光ビームの受光面におけるビーム径が最小になるようにフォトダイオードユニット１１の位置を移動させ、当該フォトダイオードユニット１１の位置から図１及び図２中”ＢＭ１１”に示す光ビームの受光面におけるＸＹ座標を測定する。
【００３６】
同様に、例えば、偏光板９を回転させ図３及び図４中”ＢＭ１１”に示す光ビームを遮断し、図３及び図４中”ＢＭ１２”に示すように光ファイバ６を伝播する光のみを透過させる。
【００３７】
そして、図３及び図４中”ＢＭ１２”に示す光ビームをレンズ１０を介してフォトダイオードユニット１１の図１及び図２中”ＰＤ１２”に示す受光面に入射させると共に、フォトダイオードユニット１１の位置から入射面における光ビームのＸＹ座標を測定する。
【００３８】
ＸＹ座標の測定方法としては前述と同様に、図３及び図４中”ＢＭ１２”に示す光ビームの受光面におけるビーム径が最小になるようにフォトダイオードユニット１１の位置を移動させ、当該フォトダイオードユニット１１の位置から図３及び図４中”ＢＭ１２”に示す光ビームの受光面におけるＸＹ座標を測定する。
【００３９】
図５において”ＢＭ３１”は図１及び図２中”ＢＭ１１”に示す光ビームの測定されたＸＹ座標、”ＢＭ３２”は図３及び図４中”ＢＭ１２”に示す光ビームの測定されたＸＹ座標、”ＰＤ３１”はフォトダイオードユニット１１の図１及び図２中”ＰＤ１１”に示す受光面のＸＹ座標、”ＰＤ３２”はフォトダイオードユニット１１の図３及び図４中”ＰＤ１２”に示す受光面のＸＹ座標であるとする。
【００４０】
そして、図５中”ＢＭ３１”に示す光ビームの中心点と図３中”ＰＤ３１”に示す受光面の中心点を一致させる（原点とする）。
【００４１】
また、フォトダイオードユニット１１の受光面の間隔（厳密には、２つの受光面の中心点の間隔）を”Ｗ”、Ｙ軸方向の図５中”ＢＭ３２”に示す光ビームの中心点と原点との差分を”ΔＹ”、Ｘ軸方向の図５中”ＢＭ３２”に示す光ビームの中心点、図５中”ＰＤ３２”に示す受光面の中心点との差分を”ΔＸ”とすると、補正角度”θ”は、
【数１】
2008003282.tif 000003
となる。
【００４２】
すなわち、原点（図５中”ＢＭ３１”に示す光ビームの中心点、或いは、図３中”ＰＤ３１”に示す受光面の中心点）を中心として補正角度”θ”だけフォトダイオードユニット１１（或いは、出射端８）を”ＸＹ座標平面”で回転させることにより、図５中”ＢＭ３２”に示す光ビームの中心点は図５中”ＦＤ３２”に示す受光面の中心点に一致することになる。
【００４３】
図６は従来の間違った調芯方法の一例を示す説明図であり、図６において”ＢＭ３１”、”ＢＭ３２”、”ＰＤ３１”及び”ＰＤ３２”は図５と同一符号を付してある。
【００４４】
従来の間違った調芯方法では、図６中”ＢＭ３１”と”ＢＭ３２”とは同時に照射されるため、光ファイバ６から出射される光ビーム”ＢＭ３１”と、光ファイバ７から出射される光ビーム”ＢＭ３２”を明確に区別することができない。
【００４５】
このため、本来、図６中”ＰＤ３２”に示す受光面に照射しなければならない図６中”ＢＭ３２”に示す光ビームを、図６中”ＰＤ３１”に示す受光面に照射させてしまう場合が発生し、この場合には非常に多くの調芯作業が必要となるが、本願発明においてはファイバ７から出射される光ビーム”ＢＭ３２”を明確に区別することができるので、このような間違った調芯方法を行うことを防止することができる。
【００４６】
この結果、出射端８でそれぞれの偏波面が互いに”９０度”になるように偏波面保持の光ファイバ６及び７を出射端８に固定し、光ビームの間隔がフォトダイオードユニット１１の受光面の間隔になるように調整し、偏光板９を回転させ片方ずつ光ビームを通過させてフォトダイオードユニット１１への入射位置のＸＹ座標を測定して求めた補正角度”θ”だけフォトダイオードユニット１１を”ＸＹ座標平面”で回転させることにより、効率良く調芯を行うことが可能になる。
【００４７】
また、図１乃至図４の示す実施例の説明に際しては２つの光ビームの受光面におけるＸＹ座標を測定して補正角度を求めていたが、２つの光ビームの受光面におけるＸＹＺ座標を測定してＺ軸方向の差分の補正するように調芯しても構わない。
【００４８】
図７はＺ軸方向の差分を考慮した調芯方法を説明する説明図であり、図７において１１、”ＢＭ１１”、”ＢＭ１２”、”ＰＤ１１”及び”ＦＤ１２”は図１等と同一符号を付してある。また、平面図及び斜視図は図１乃至図４と同じであり、異なる点は、光ビームの受光面におけるＸＹＺ座標を測定する点である。
【００４９】
ここで、フォトダイオードユニット１１の受光面が形成されている面を”ＸＹ座標平面”と定義し、フォトダイオードユニット１１の受光面に垂直な方向をＺ軸と定義する。
【００５０】
図７から分かるようにＺ軸方向は光ビームのビーム径が最小になる位置の光軸方法のずれに相当するものであり、ＸＹＺ座標の測定方法としては前述と同様に、光ビームの受光面におけるビーム径が最小になるようにフォトダイオードユニット１１の位置を移動させ、当該フォトダイオードユニット１１の位置から光ビームの受光面におけるＸＹＺ座標を測定する。
【００５１】
例えば、図７中”ＢＭ１１”に示す光ビームのビーム径が最小になる位置が図７中”ＦＰ４１”である場合、偏光板９を回転させて図７中”ＢＭ１１”に示す光ビームのみをフォトダイオードユニット１１に照射させ、図７中”ＦＰ４１”に示す位置を図７中”ＰＤ１１”に示すフォトダイオードユニット１１の受光面に合わせて、図７中”ＦＰ４１”に示す位置のＸＹＺ座標を測定する。
【００５２】
同様に、例えば、図７中”ＢＭ１２”に示す光ビームのビーム径が最小になる位置が図７中”ＦＰ４２”である場合、偏光板９を回転させて図７中”ＢＭ１２”に示す光ビームのみをフォトダイオードユニット１１に照射させ、図７中”ＦＰ４２”に示す位置を図７中”ＰＤ１２”に示すフォトダイオードユニット１１の受光面に合わせて、図７中”ＦＰ４２”に示す位置のＸＹＺ座標を測定する。
【００５３】
図８はＺ軸方向の差分の補正方法を説明する説明図であり、図８において１１、”ＢＭ１１”、”ＢＭ１２”、”ＰＤ１１”及び”ＦＤ１２”は図１等と同一符号を付し、”ＦＰ４１”及び”ＦＰ４２”は図７と同一符号を付してある。
【００５４】
図８中”ＲＴ５１”に示すフォトダイオードユニット１１の受光面の間隔（厳密には、２つの受光面の中心点の間隔）を二等分する点を回転中心とし、当該回転中心をＺ軸方向の差分”ΔＺ”の１／２の位置にずらして、当該回転中心を中心にして”ＸＺ座標平面”で”φ”だけ回転させることにより、”ＦＰ４１”と”ＰＤ１１”を、”ＦＰ４２”と”ＰＤ１２”をそれぞれ一致させることができる。
【００５５】
すなわち、前述同様に２つのＸＹＺ座標の差分等からに”ΔＸ”及び”ΔＹ”を求めると共にＺ軸方向の差分を”ΔＺ”とした場合、”ＸＺ座標平面”の補正角度”φ’”は、
【数２】
2008003282.tif 000004
となる。
【００５６】
また、”ＸＹ座標平面”の補正角”θ”は、
【数３】
2008003282.tif 000005
となる。
【００５７】
この結果、出射端８でそれぞれの偏波面が互いに”９０度”になるように変波面保持の光ファイバ６及び７が出射端８に固定し、光ビームの間隔がフォトダイオードユニット１１の受光面の間隔になるように調整し、偏光板９を回転させ片方ずつ光ビームを通過させてフォトダイオードユニット１１への入射位置のＸＹＺ座標を測定して求めた補正角度”θ”だけフォトダイオードユニット１１を”ＸＹ座標平面”で回転させ、Ｚ軸方向の差分の補正する補正角度”φ”だけフォトダイオードユニット１１を”ＸＺ座標平面”で回転させることにより、効率良く調芯を行うことが可能になる。
【００５８】
なお、図１等に示す実施例では２つの光ビームを分離するために偏光板を用いていたが、偏光板の代わりにエタロンを用いても構わない。
【００５９】
この場合、２つの光ファイバとしては偏波面保持の光ファイバではなく通常のシングルモード光ファイバ（Single Mode Fiber）を用い、それぞれの光ファイバにエタロンのＦＳＲ（自由スペクトル領域）の１／２だけ波長の異なる光を伝播させ、エタロンの角度、温度、若しくは、屈折率を変化させて透過可能な光の波長を選択して２つの光ファイバのどちらか一方のみをフォトダイオードユニットに照射させ、それぞれの光ビームの座標を測定すれば良い。
【００６０】
また、図１等に示す実施例では２つの光ビームを分離するために偏光板を用いていたが、偏光板を用いることなく、２つの光ファイバを伝播する光に異なる変調周波数で光変調をかけ、フォトダイオードユニットで検出する際に受光した光の光変調周波数に基づき２つの光ファイバのどちらの光ビームであるかを判断して、それぞれの光ビームの座標を測定しても構わない。
【００６１】
この場合には、構成要素も減少し、偏光板を回転させる機構や、エタロンの角度等を制御する機構も必要なくなる。
【図面の簡単な説明】
【００６２】
【図１】本発明に係る調芯方法の一実施例を示す平面図である。
【図２】本発明に係る調芯方法の一実施例を示す斜視図である。
【図３】本発明に係る調芯方法の一実施例を示す平面図である。
【図４】本発明に係る調芯方法の一実施例を示す斜視図である。
【図５】各受光面と照射される２つの光ビームとの関係を示す説明図である。
【図６】従来の間違った調芯方法の一例を示す説明図である。
【図７】Ｚ軸方向の差分を考慮した調芯方法を説明する説明図である。
【図８】Ｚ軸方向の差分の補正方法を説明する説明図である。
【図９】従来の調芯方法の一例を示す平面図である。
【図１０】従来の調芯方法の一例を示す斜視図である。
【符号の説明】
【００６３】
１，２，６，７  光ファイバ
３，８  出射端
４，９  レンズ
５，１１  フォトダイオードユニット
１０  偏光板
【図１】
2008003282.tif 000006
【図２】
2008003282.tif 000007
【図３】
2008003282.tif 000008
【図４】
2008003282.tif 000009
【図５】
2008003282.tif 000010
【図６】
2008003282.tif 000011
【図７】
2008003282.tif 000012
【図８】
2008003282.tif 000013
【図９】
2008003282.tif 000014
【図１０】
2008003282.tif 000015